(57)【要約】  無線局が、第１無線周波数チャネル上の第１サービスを終了し、第２サービスに携わるため第２無線周波数チャネルを選択する場合、時間遅延が、前記第１サービスの終了後前記第２無線周波数チャネルを選択する前又は前記第２サービスに携わる前に挿入される。前記時間遅延は、前記無線局の状態及び／又は前記第２サービスの特徴に依存する。【特許請求の範囲】
【請求項１】
第１無線周波数チャネル上の第１サービスを終了するステップ、
第２無線周波数チャネルを選択するステップ、及び
前記第２無線周波数チャネル上の第２サービスに携わるステップ
を有する無線局を動作させる方法であって、
前記第２無線周波数チャネルを選択するステップ及び／又は前記第２サービスに携わるステップは、前記第１サービスの終了に対する、前記無線局の状態及び／又は前記第２サービスの特徴に依存した期間後に生じることを特徴とする無線局を動作させる方法。
【請求項２】
前記無線局の前記状態は、該無線局がいかなるサービスも受信しないアイドルモード、該無線局がポイントツーポイントサービスを受信するアクティブモード、及び該無線局がポイントツーマルチポイントサービスを受信するアクティブモードのうちの１つであることを特徴とする請求項１に記載の無線局を動作させる方法。
【請求項３】
前記第２サービスの前記特徴は、該第２サービスの優先レベルであることを特徴とする請求項１に記載の無線局を動作させる方法。
【請求項４】
前記第２サービスの前記特徴は、ポイントツーポイントサービス又はポイントツーマルチポイントサービスのいずれを提供するかであることを特徴とする請求項１に記載の無線局を動作させる方法。
【発明の詳細な説明】
【技術分野】
【０００１】
本発明は、無線局を動作させる方法に関する。本発明は、限定的ではないがとりわけ、ＵＭＴＳ(Universal Mobile Telecommunication System)又はｃｄｍａ２０００等の移動通信システムでの使用に適した移動端末において応用例がある。
【背景技術】
【０００２】
マルチメディアブロードキャスト及びマルチキャストサービス（Multimedia Broadcast and Multicast Services：ＭＢＭＳ)が、ＵＭＴＳ規格リリース６に導入されようとしている。これは、マルチメディアサービスを多くの移動端末に同時に効率よく届けることを可能にするであろう。ＵＭＴＳにおいて、移動端末は、ＵＥ(User Equipment)と称される。
【０００３】
現在規格中の１つの特徴は、周波数レイヤコンバージェンス（Frequency Layer Convergence：ＦＬＣ）である。ＦＬＣでは、ネットワークが、ポイントツーマルチポイントＭＢＭＳサービスのための（"好ましいレイヤ"（preferred layer：ＰＬ)とも称される）好ましい周波数のインディケーションを送出し、それゆえ、当該サービスに加わろうとするＵＥは、該サービスを受信するため該サービスのＰＬに切換える。結果として、ＭＢＭＳサービスを受信するため同一の周波数に集められるＵＥの数が極めて多くなる可能性がある。
【０００４】
多数のＵＥが、同一のＰＬ上の同一のポイントツーマルチポイントＭＢＭＳサービスを受信している場合、これらＵＥは、ＭＢＭＳセッションの持続時間の間当該周波数に留まることになるであろう。ひとたびＭＢＭＳサービスの送信が止まると、これらＵＥは、自身の次のサービスのためネットワークにシグナリングする(signaling)、例えば、呼を発する、ショートメッセージサービス（short message service：ＳＭＳ）を受信する、又は他のＭＢＭＳサービスに加入することを始めるであろう。いくつかのＵＥは、ＭＢＭＳサービスを、専用又はポイントツーポイントサービス（例えば、ボイスコール(voice call)）等の他のサービスと同時に受信できるかもしれない。両方の同時サービスを受信できないＵＥの場合、該ＵＥは、ＭＢＭＳサービスを受信するため非ポイントツーマルチポイントＭＢＭＳサービスへのデータレートを下げなくてはならないかもしれない。ＭＢＭＳサービスが終了した場合、ＵＥは、再び自身のデータレートを上げ、非ＭＢＭＳサービスを再開するためシグナリングを始めなければならないであろう。
【０００５】
ネットワークは、ＭＢＭＳサービスを受信するため留まっていた同一の好ましい周波数上のこれまでＭＢＭＳに加入していたＵＥのため上記シグナリング及び対応する次のサービスに対処しなければならないので、ネットワークのオーバーロードが、ＭＢＭＳセッションの終わりに当該周波数上で生じるかもしれない。
【０００６】
この問題を軽減する一つの可能性は、ＭＢＭＳセッションが終わると直ちに強制的にＵＥを他の周波数に移動させることであり、それゆえ、次のサービスに対するシグナリング負荷が、いくつかの周波数に分散される。これは、単一ビットの周波数分散インディケータ(Frequency Dispersion Indicator)の使用によりなされ得る。周波数分散インディケータは、次のサービスのセットアップを進める前に他の周波数を選択し、該周波数に移動しなければならないことをＵＥに指示するであろう。
【０００７】
しかしながら、分散が起こる場合、それはＰＬ上のＭＢＭＳセッションが停止するや否や全てのＵＥに当てはまることとなり、結果として、この分散プロセスは他の問題を引き起こす可能性がある。ネットワークシグナリングのオーバーロードが、多数のＵＥが同時に代替周波数を選択し、該周波数に切換える結果として生じる可能性がある。また、不必要な分散が、同一のＰＬ上の異なるＭＢＭＳサービスを次に受信し始めるようなＵＥに対して生じるかもしれない。すなわち、斯かるＵＥは、一方では、最初のＭＢＭＳセッション後に分散し、他方、次のＭＢＭＳセッションのため再収束する(re-converge)という、２つの連続したセル再選択プロシージャ(cell reselection procedure)を踏まなければならないであろう。
【発明の開示】
【発明が解決しようとする課題】
【０００８】
本発明の目的は、ポイントツーマルチポイントサービスが終わった場合のシグナリングオーバーロードの危険性を低減させることにある。
【課題を解決するための手段】
【０００９】
本発明によれば、
第１無線周波数チャネル上の第１サービスを終了するステップ、
第２無線周波数チャネルを選択するステップ、及び
前記第２無線周波数チャネル上の第２サービスに携わるステップ
を有する無線局を動作させる方法であって、
前記第２無線周波数チャネルを選択するステップ及び／又は前記第２サービスに携わるステップは、前記第１サービスの終了に対する、前記無線局の状態及び／又は前記第２サービスの特徴 (characteristic) に依存した期間後に生じることを特徴とする無線局を動作させる方法が提供される。
【００１０】
本発明は、無線局の現在の状態又は後続するサービスの特徴に関連付けられる優先順位付けスキームに基づいて周波数分散メカニズムにコンフィギュラブルな(configurable)時間遅延を適用することにより、ポイントツーマルチポイントサービス送信が終了した際全ての周波数上でシグナリングが増加する及び／又はオーバーロードが起こる危険性を低減させる。
【００１１】
随意に、前記無線局の前記状態は、該無線局がいかなるサービスも受信しないアイドルモード、該無線局がポイントツーポイントサービスを受信するアクティブモード、及び該無線局がポイントツーマルチポイントサービスを受信するアクティブモードのうちの１つである。
【００１２】
随意に、前記第２サービスの前記特徴は、該第２サービスの優先レベルである。随意に、前記第２サービスの前記特徴は、ポイントツーポイントサービス又はポイントツーマルチポイントサービスのいずれを提供するかである。
【発明を実施するための最良の形態】
【００１３】
本発明の実施例が以下に述べられる。ＵＥが第１サービスの終了に引き続き第２サービスに携わる場合、ＵＥによる第２サービスに対する無線周波数チャネルの選択、又はＵＥによる第２サービスへの携わり(engagement)が、第１サービスの終了に対して相対的な期間後に生じる。この期間は、無線局の状態、又は第２サービスの特徴、又は両方に依存する。結果として、分散プロシージャは、全てのＵＥに対して瞬時に起こらず、ＵＥ各々の状態遷移プロシージャ(state transition procedure)に依存したある時間を取る。これは、周波数分散プロセスに時間遅延要素を導入する。この結果、不必要な周波数再選択を回避すると共に、周波数選択及び／又はサービスの移行(service transition)に伴うシグナリングのかなりばらついた時間、並びにネットワークオーバーロード(network overloading)の低減をもたらす。ある状態遷移に対して、即時の周波数分散が生じるよう前記期間はゼロとしてもよく、一方、他の状態遷移に対して、前記期間はゼロとしなくてもよい。
【００１４】
状態遷移の一例において、ＵＥは、ＭＢＭＳサービス送信の終了後、該ＵＥが（ボイスコールを受信する又はＳＭＳを送出する等）ポイントツーポイントサービスに移行する場合、周波数分散プロシージャを実施し、該ＵＥが全てのアクティビティを停止しアイドルモードに入る場合、周波数分散プロシージャを実施しないであろう。斯くして本発明によれば、ＭＢＭＳサービスの終了後状態遷移を行う期間が、次の状態、本例では、アイドルモード又はポイントツーポイントサービスのいずれかに依存する。
【００１５】
分散プロシージャに対して異なる期間が用いられる状態遷移の他の例は、以下の通りである。
ａ）ＵＥがポイントツーポイントサービス等の非ＭＢＭＳサービスに移る場合、直ちに周波数分散プロシージャを実施する。
ｂ）ＵＥがアイドルモードに移る場合、時間遅延後周波数分散プロシージャを実施する。
ｃ）ＵＥが他のＭＢＭＳサービス（ポイントツーマルチポイント）に加入する場合、
−ＭＢＭＳサービスが同一のＰＬ上である場合、周波数分散プロシージャを実施しない。
−ＭＢＭＳサービスが同一のＰＬ上である場合、当該ＰＬに対するセル再選択を実施する。
−新しいＭＢＭＳサービスに対してＰＬが指示されない場合、周波数分散プロシージャを実施する。
−新しいＭＢＭＳサービスに対して現在の周波数と異なるＰＬが指示される場合、指示されたＰＬに向けて直接周波数分散を実施する。
随意に、上記項目ｃ）のプロシージャは、次のＭＢＭＳサービスが、直近に終えたＭＢＭＳセッションの終了後所定期間内に開始するように計画されている場合に（又は場合にのみ）適用されてもよい。
【００１６】
更なる例において、周波数分散に対する異なる時間遅延は、ランダムアクセスプロシージャにおいて異なる時間遅延を設定することにより実現されてもよい。最初のランダムアクセスの試みが失敗した場合にランダムな期間バックオフする(back off)ことが要求されるＵＥに対するランダムアクセスプロシージャは、該ＵＥがＭＢＭＳセッションを受信し終えた際、以下の一つ以上のやり方で変更されてもよい。
ａ）ＵＥによる失敗したランダムアクセスの試み後のバックオフ時間は、該ＵＥの現在の状態又は次のアクションに依存した異なる特性（例えば、平均持続時間又は最小持続時間）を持ってもよい。
ｂ）ＵＥは、自身の現在の状態又は次のアクションに依存して、ＭＢＭＳセッションが終了した後最初のランダムアクセスの試みの前に遅延を適用することが要求されてもよい。この遅延は、予め定められてもよく、又は可変のものでもよく、そして、その後のランダムアクセスの再三の試みのためのバックオフ時間と同一であってもよく、又は異なってもよく、又は該バックオフ時間から計算されてもよい。
ｃ）最初のランダムアクセスの試みの前の遅延及び／又はその後のランダムアクセスの試みに対するバックオフ時間の持続時間は、ＵＥがランダムアクセスチャネルを使用しているサービスのクラスにしたがって設定されてもよい。斯くして、ＭＢＭＳセッションの終了後より高い優先度のサービスを開始することを望むＵＥは、より低い優先度のサービスを開始することを望むＵＥよりも早く周波数分散を始めることができる。
【００１７】
周波数分散プロシージャに対する前記期間のタイミングは、外的刺激、例えば、
ｉ）サービスの開始、変化又は更新を指示する受信プロトコルメッセージ、
ｉｉ）アイドルモードにあるＵＥを目覚めさせるバッファ内のデータの受信、又は
ｉｉｉ）差し迫っている送信をＵＥに知らせる（専用サービス又はＭＢＭＳサービスに対する）ページングインディケータ(paging indicator)の受信
に応じてトリガされてもよい。
【００１８】
種々の既知の周波数分散プロシージャが、上述したスキームによりトリガされることができる。例として、
−新しい周波数をランダムに選択すること、
−（現在の周波数を含む）最も強い信号の周波数を選択すること、
−（現在の周波数を除く）最も強い信号の周波数を選択すること、
−ＵＥが現在の周波数に移る前に留められた過去の周波数を選択すること、
−上述したものの何らかの組み合わせ
が挙げられる。
【００１９】
本発明はＵＭＴＳを参照して述べられたが、本発明はＵＭＴＳに限定されず、データサービスの受信のために周波数の選択を要求する他の無線通信システムでも用いられ得る。
【００２０】
本願明細書及び請求の範囲において、単数様に表される語は、複数の斯かる構成要素の存在を除外するものではない。さらに、"有する"という用語は、挙げられたもの以外の構成部品及びステップの存在を除外するものではない。請求項内に参照符号を含めることは、理解を助けることを意図したものであり、限定することを意図していない。
【００２１】
本願明細書の開示を読むことにより、他の修正が当業者にとって明らかであろう。斯かる修正は、無線通信の技術分野で既に知られている、本願明細者で述べられた特徴に代えて又は加えて用いられ得る他の特徴を含んでもよい。
【国際調査報告】
2008535359.tif 000002
2008535359.tif 000003